(57)【要約】【課題】ガス配管とガス器具のガス導入部との間を接続するガス栓において、取り付け方向や向きが異なる場合であっても、使用者が摘みを容易にかつ確実に操作できるようにすることで、接続時の自由度を大きくしたガス栓１を提供する。【解決手段】筒体であるガス栓本体２と、ガス栓本体２の内部を貫通するガス流路と、ガス栓本体に回動自在に収容されていて回動位置によって前記ガス流路を開閉することのできる栓体と、栓体を回動するためにガス栓本体２の外側面において栓体と一体に回動可能に配置された摘みとを備える形式のガス栓１において、前記摘みは、栓体回転軸心線上に回転中心を持ちガス栓本体２の一方の外側面側に配置された第１の摘み３と、栓体回転軸心線上に回転中心を持ちガス栓本体２の他方の外側面側に配置された第２の摘み４と、第１の摘み３と第２の摘み４を一体に連結する連結体５とで構成する。【選択図】図１
2015094467.tif 000002
【特許請求の範囲】
【請求項１】
筒体であるガス栓本体と、前記ガス栓本体の内部を貫通するガス流路と、前記ガス栓本体に回動自在に収容されていて回動位置によって前記ガス流路を開閉することのできる栓体と、該栓体を回動するために前記ガス栓本体の外側面において前記栓体と一体に回動可能に配置された摘みとを備える形式のガス栓であって、
前記摘みは、前記栓体回転軸心線上に回転中心を持ち前記ガス栓本体の一方の外側面側に配置された第１の摘みと、前記栓体回転軸心線上に回転中心を持ち前記ガス栓本体の他方の外側面側に配置された第２の摘みと、前記第１の摘みと第２の摘みを一体に連結する連結体とで構成されていることを特徴とするガス栓。
【請求項２】
前記ガス栓本体は直線状であるかまたはＬ字状に折曲した形状であることを特徴とする請求項１に記載のガス栓。
【発明の詳細な説明】
【技術分野】
【０００１】
本発明はガス栓に関し、特に、内部を貫通するガス流路を有し、該ガス流路には栓体が備えられ、該栓体の回動位置によって前記ガス流路が開閉される形式のガス栓に関する。
【背景技術】
【０００２】
筒体であるガス栓本体と、前記ガス栓本体の内部を貫通するガス流路と、前記ガス栓本体に回動自在に収容されていて回動位置によって前記ガス流路を開閉することのできる栓体と、該栓体を回動するために前記ガス栓本体の外側面において前記栓体と一体に回動可能に配置された摘みとを備える形式のガス栓は、例えば特許文献１に記載のように、従来公知である。また、ガス栓本体の一方端に、前記ガス栓本体の軸心線に傾斜する軸心線を持ちかつ前記ガス栓本体に対して相対回動自在に接続した補助継手が装着されているガス栓も、前記特許文献１に記載のように、従来公知である。
【０００３】
このようなガス栓において、ガス栓本体の一方端にはガス配管が、他方端にはガス器具に備えられたガス取り入れ用の筒体が、適宜の連結手段を介してそれぞれ接続される。通常のガス栓において、ガス配管とガス器具との間に接続された状態で、栓体はガス流路が開いた状態となる位置にセットされており、ガス器具に備えられた着火および開閉弁手段を操作することで、ガス器具の着火と消火が行われる。ガス器具を長期にわたり使用しないようなときに、使用者はガス栓に備えられた摘みを操作して栓体を回動し、栓体を常閉の位置とすることで、安全を確保している。
【先行技術文献】
【特許文献】
【０００４】
【特許文献１】特開２００３−３４３７７８号公報
【発明の概要】
【発明が解決しようとする課題】
【０００５】
一般の建物では、ガス配管の位置やシステムキッチンの設置位置は予め定まっており、あまり自由度がないのが通常である。一方、システムキッチンに取り付けるガスコンロは多くの種類があり、各ガスコンロに備えられているガス取り入れ用の筒体の位置や方向も一定でない。そのために、ビルトイン型のガスコンロと建物に備え付けのガス配管とをガス栓を用いて接続するときに、ガスコンロの種類に応じて、それに合った形態のガス栓を用いることが必要となる場合が多い。しかし、多くの種類のガス栓をあらかじめ用意することはコスト的に不利であるとともに、製品管理の面でも好ましくない。
【０００６】
特許文献１に記載されるガス栓は、ガス栓本体の一方端に、ガス栓本体の軸心線に傾斜する軸心線を持ちかつガス栓本体に対して相対回動自在に接続した補助継手を装着していることで、ガス配管とビルトイン型のガスコンロ等であるガス器具との接続の自由度を大きくしており、この形態のガス栓を用いることで、多くの種類のガス器具を建物側に設置されたガス配管に対して、無理なく接続することができる。
【０００７】
しかし、従来用いられているガス栓は、栓体を開位置から閉位置に、また閉位置から開位置に回動するための摘みが、ガス栓本体の外側面に１つ備えられているだけであり、ガス器具とガス配管とをガス栓を用いて無理なく接続できた場合でも、摘みの位置が、使用者の手の届かない向きあるいは位置となってしまう場合があり、なお改善すべき課題が残っている。
【０００８】
本発明は、上記の課題を解決することを課題としており、筒体であるガス栓本体と、前記ガス栓本体の内部を貫通するガス流路と、前記ガス栓本体に回動自在に収容されていて回動位置によって前記ガス流路を開閉することのできる栓体と、該栓体を回動するために前記ガス栓本体の外側面において前記栓体と一体に回動可能に配置された摘みとを備える形式のガス栓において、それを取り付けたときの取り付け方向や向きが異なる場合であっても、使用者が摘みを容易にかつ確実に操作できるようにすることで、接続時の自由度をさらに大きくしたガス栓を提供することを課題とする。
【課題を解決するための手段】
【０００９】
本発明によるガス栓は、筒体であるガス栓本体と、前記ガス栓本体の内部を貫通するガス流路と、前記ガス栓本体に回動自在に収容されていて回動位置によって前記ガス流路を開閉することのできる栓体と、該栓体を回動するために前記ガス栓本体の外側面において前記栓体と一体に回動可能に配置された摘みとを備える形式のガス栓であって、前記摘みは、前記栓体回転軸心線上に回転中心を持ち前記ガス栓本体の一方の外側面側に配置された第１の摘みと、前記栓体回転軸心線上に回転中心を持ち前記ガス栓本体の他方の外側面側に配置された第２の摘みと、前記第１の摘みと第２の摘みを一体に連結する連結体とで構成されていることを特徴とする。
【００１０】
本発明によるガス栓では、ガス栓の一方端を建物側のガス配管に接続し、他方端をガス器具に取り付けられているガス取り入れ用の筒体に接続したときに、ガス配管とガス取り入れ用の筒体の位置や向きの関係で、第１の摘みが利用者にとって利用しやすい位置にある場合には、利用者は第１の摘みを摘まんで栓体の回動操作を行うことができる。また、上記の姿勢とは１８０度反転した姿勢でガス栓が取り付けられている場合には、第１の摘みは利用者にとって手の届きにくい位置となるが、逆に、もう一つの摘みである第２の摘みが利用者にとって操作しやすい場所に位置することとなり、利用者は第２の摘みを摘まんで栓体の回動操作を行うことができる。第１の摘みと第２の摘みの双方が利用者にとって利用しにくい向きとなっている場合には、多くの場合、第１の摘みと第２の摘みを一体に連結する連結体が利用者にとって利用しやすい場所になっているので、利用者は前記連結体を摘まんで移動させることで栓体の回動操作を行うことができる。
【００１１】
上記のように、本発明によるガス栓は、ガス配管とガス器具との間に取り付けた時の姿勢が、ガス配管およびまたはガス器具側の事情で種々の異なった姿勢となる場合であっても、多くの場合、第１の摘み、第２の摘み、または第１の摘みと第２の摘みを一体に連結する連結体のいずれかが、利用者にとって使用しやすい向きあるいは位置をとることができる。そのために、同じ形態のガス栓を利用者に不自由を与えない状態で、多くの異なった環境下で使用することが可能となる。すなわち、１つの種類のガス栓を多くの異なった環境で適切に利用することができるので、ガス栓にかかるコストの低減が可能となる。
【００１２】
本発明によるガス栓において、筒体であるガス栓本体の全体形状は、直線状であってもよく、Ｌ字状に折曲した形状であってもよい。Ｌ字状に折曲した形状である場合には、多くの場合、その折曲部に前記栓体および第１の摘みと第２の摘みが配置される。
【発明の効果】
【００１３】
本発明によるガス栓を用いることにより、建物側のガス配管とガス器具に取り付けられたガス取り入れ用の筒体との位置関係が種々異なっている場合であっても、当該ガス栓に収容されている栓体を操作するための操作具である第１の摘み、第２の摘み、または第１の摘みと第２の摘みを一体に連結する連結体のいずれかを、利用者にとって使用しやすい向きとして取り付けることが可能となる。そのために、ガス栓の種類を減らすことができ、ガス栓にかかるトータルとしてのコストを低減することができ、また、ガス栓の製品管理も容易となる。
【図面の簡単な説明】
【００１４】
【図１】本発明によるガス栓の一実施の形態を示す斜視図。
【図２】図１に示すガス栓の正面図。
【図３】図１に示すガス栓の側面図。
【発明を実施するための形態】
【００１５】
以下、この発明を実施するための形態を、図面を参照して説明する。図１は、本発明によるガス栓の一実施の形態を示す斜視図であり、図２は正面図、図３は側面図である。
【００１６】
ガス栓１は、Ｌ字状を折曲する筒状のガス栓本体２を有し、該ガス栓本体２内には内部を貫通するようにしてガス流路（図では示されない）が形成されている。ガス栓本体２の折曲部には、やはり図示されない栓体が回動自在に収容されており、該栓体の回動位置によって前記ガス流路が開いた状態と閉じた状態とが選択される。さらに、該栓体を回動するための第１の摘み３が、ガス栓本体２の外側面において、栓体と一体に回動可能にかつ栓体の回転軸心線上に回転中心を持つようにして配置されている。なお、上記の構造は、従来のガス栓においてよく知られたものであり、詳細な説明は省略する。
【００１７】
本発明によるガス栓１においては、前記第１の摘み３に加えて、第２の摘み４が備えられる。該第２の摘み４は、図３に示すように、前記栓体の回転軸心線であり第１の摘み３の回転軸心線でもある回転軸心線Ｌ上に回転中心を有しており、ガス栓本体２における前記第１の摘み３が取り付けられている側とは反対側の外側面側に、回動自在に配置されている。そして、前記第１の摘み３と第２の摘み４とは、ガス栓本体２の外側において、連結体５によって、一体に連接されている。
【００１８】
図２に示すように、第１の摘み３の表面には線状の突起６が形成されており、該突起６を見ることで、使用者は、第１の摘み３の向き（角度位置）を容易に確認することができる。また、前記ガス栓本体２の両開放端には、適宜の接続具７、８が取り付けられており、一方の接続具７には、建物側に設置された図示しないガス配管が連結され、他方の接続具８には、例えばシステムキッチンにセットされた適宜のガス器具に備えられたガス取り入れ用の筒体（不図示）が連結される。したがって、このガス栓１では、接続具７側がガス流入側となり、接続具８側がガス流出側となる。
【００１９】
建物内にシステムキッチンを取り付け施工するときに、建物側に取り付けられているガス配管と、システムキッチンにセットされたガス器具に備えられたガス取り入れ用の筒体とは、上記したガス栓１を用いて接続される。接続した状態で、例えば、第１の摘み３が実線位置にあるときに、ガス栓本体２の内部を貫通するガス流路は栓体によって閉じられており、使用者が第１の摘み３を仮想線の位置にまで回動したときに、ガス流路は開かれた状態となる。
【００２０】
本発明によるガス栓１を使用する場合、接続した状態で、前記第１の摘み３が使用者にとって操作しやすい向きあるいは位置にあるときは、使用者は第１の摘み３を操作して、ガス流路の開閉を行えばよい。接続の都合で、第１の摘み３が使用者の手の届かない向きあるいは位置となってしまった場合でも、使用者は、前記第２の摘み４または連結体５を操作することで、ガス流路の開閉を容易にかつ確実に行うことができるようになる。
【００２１】
言い換えると、本発明によるガス栓１を用いることにより、建物側のガス配管とガス器具に取り付けられたガス取り入れ用の筒体との位置関係が種々異なっていても、当該ガス栓１に収容されている栓体を操作するための操作具である第１の摘み３、第２の摘み４、または第１の摘み３と第２の摘み４を一体に連結する連結体５のいずれかを、利用者にとって使用しやすい向きとして取り付けることが可能となる。そのために、施工時に用意するガス栓の種類を減らすことができ、結果として、ガス栓にかかるトータルとしてのコストを低減することができ、また、ガス栓の製品管理も容易となる。
【００２２】
なお、上記では、Ｌ字状を折曲する筒状のガス栓本体２を持つガス栓１について説明したが、特に図示しないが、ガス栓本体２が直線状であっても、前記した第１の摘み３に加えて、第２の摘み４および第１の摘み３と第２の摘み４を一体に連結する連結体５を備えたガス栓を構成することは容易である。
【００２３】
さらに、図示しないが、前記した特許文献１に記載のように、前記ガス栓本体２における少なくとも一方端にガス栓本体２の軸心線に傾斜する軸心線を持ちかつガス栓本体２に対して相対回動自在に接続した補助継手が装着されている形態のガス栓に対しても、本発明を適用する、すなわち、前記した第１の摘み３に加えて、第２の摘み４および第１の摘み３と第２の摘み４を一体に連結する連結体５を備えた構成とすることは、当然に可能である。この態様では、ガス配管とガス器具に取り付けたガス取り入れ用の筒体の取り付け姿勢は直線状ではなく、所要の角度を持った姿勢を取ることができるので、ガス配管とガス器具に取り付けたガス取り入れ用の筒体との間のより多くの位置関係に対して、適切な取り付け姿勢を確保することができ、取り付けの自由度はより大きくなる。
【符号の説明】
【００２４】
１…ガス栓、２…筒体であるガス栓本体、３…第１の摘み、４…第２の摘み、５…第１の摘みと第２の摘みを一体に連結する連結体。
【図１】
2015094467.tif 000003
【図２】
2015094467.tif 000004
【図３】
2015094467.tif 000005